(57)【要約】 【課題】  ユーザに手間や面倒を掛けずに、撮影に必要な記憶媒体の記録可能な残り容量を知らせること。【解決手段】  撮影動作を行ってその画像データを取得する撮像装置は、少なくとも画像データを記憶する記録媒体と、本装置に対して様態の変化を検出する様態変化検出部と、様態変化検出部により本装置に対する様態の変化を検出すると、少なくとも記録媒体における画像データの記録可能な残り容量を検出する残容量検出部と、残容量検出部により検出された記録可能な残り容量が予め設定された残り容量以下であれば、当該残り容量以下であることを報知する残容量報知部とを具備する。【選択図】図１
2012124751.tif 000002
【特許請求の範囲】
【請求項１】
撮影動作を行ってその画像データを取得する撮像装置において、
少なくとも前記画像データを記憶する記録媒体と、
本装置に対して様態の変化を検出する様態変化検出部と、
前記様態変化検出部により前記本装置に対する前記様態の変化を検出すると、少なくとも前記記録媒体における前記画像データの記録可能な残り容量を検出する残容量検出部と、
前記残容量検出部により検出された前記記録可能な残り容量が予め設定された残り容量以下であれば、当該残り容量以下であることを報知する残容量報知部と、
を具備することを特徴とする撮像装置。
【請求項２】
前記様態変化検出部は、前記様態の変化としてバッテリーの交換の検出、前記本装置に加えられる振動の検知、又は前記本装置に対して接触があるか否かの検出を行うことを特徴とする請求項１記載の撮像装置。
【請求項３】
前記撮影動作を行うときに少なくとも被写体の画像を表示する表示部を有し、
前記残容量報知部は、少なくとも前記表示部に前記記録可能な残り容量を警告表示する、
ことを特徴とする請求項２記載の撮像装置。
【請求項４】
前記残容量報知部は、前記記録可能な残り容量が予め設定された容量以下であることを鳴動器による鳴動又は発光素子の発光のうちいずれか一方又は両方により強制的に警告することを特徴とする請求項２記載の撮像装置。
【請求項５】
電源として交換可能なバッテリーを備え、撮影動作を行ってその画像データを取得する撮像装置において、
前記バッテリーの交換を検出するバッテリー交換検出部と、
前記バッテリー交換検出部により前記バッテリーの交換を検出すると、少なくとも前記画像データを記憶する記録媒体における前記画像データの記録可能な残り容量を検出する残容量検出部と、
前記残容量検出部により検出された前記記録可能な残り容量が予め設定された残り容量以下であれば、当該残り容量以下であることを報知する残容量報知部と、
を具備することを特徴とする撮像装置。
【請求項６】
前記残容量報知部により前記表示部に前記画像データの記録可能な残り容量を報知した後、前記本装置の前記電源を遮断する電源遮断部と、
前記本装置の前記電源が遮断してからの時間経過を計測するタイマーと、
を具備し、
前記残容量検出部は、前記タイマーの計測された前記電源の遮断している時間が予め設定された遮断時間以上になると、前記記録媒体における前記画像データの記録可能な残り容量を検出し、
前記残容量報知部は、前記残容量検出部により検出された前記記録可能な残り容量が予め設定された残り容量以下であれば、当該残り容量以下であることを報知する、
ことを特徴とする請求項１記載の撮像装置。
【請求項７】
前記撮影動作を行うときに少なくとも被写体の画像を表示する表示部を有し、
前記残容量報知部は、前記表示部に前記記録可能な残り容量が前記予め設定された残り容量以下であることを表示する、
ことを特徴とする請求項５又は６記載の撮像装置。
【請求項８】
前記バッテリー交換検出部により前記バッテリーの交換を検出すると、前記本装置の前記電源を起動する電源起動部と、
前記表示部に前記記録可能な残り容量が前記予め設定された残り容量以下であることを表示した後、前記本装置の前記電源を遮断する電源遮断部と、
を備えたことを特徴とする請求項１記載の撮像装置。
【請求項９】
電源として交換可能なバッテリーを備え、撮影動作を行ってその画像データを取得する撮像装置において、
本装置の電源が遮断されている状態に、当該本装置に加えられる振動を検知する振動検知部と、
前記振動検知部により前記振動が前記本装置に加えられことを検知すると、前記バッテリーの交換を検出するバッテリー交換検出部と、
前記バッテリー交換検出部により前記バッテリーの交換を検出すると、少なくとも前記画像データを記憶する記録媒体における前記画像データの記録可能な残り容量を検出する残容量検出部と、
前記残容量検出部により検出された前記記録可能な残り容量が予め設定された残り容量以下であれば、当該残り容量以下であることを報知する残容量報知部と、
を具備することを特徴とする撮像装置。
【請求項１０】
前記振動検知部により検出された前記振動の時間が予め設定された振動時間以上で、かつ前記振動に周期性がなければ、前記バッテリーの交換を可能とする振動確認部を有することを特徴とする請求項９記載の撮像装置。
【請求項１１】
前記残容量検出部は、前記バッテリー交換検出部により前記バッテリーの交換を検出すると、少なくとも前記記録媒体における前記画像データの記録可能な残り容量を検出することを特徴とする請求項１０記載の撮像装置。
【請求項１２】
前記残容量検出部は、前記バッテリー交換検出部により前記バッテリーの交換を検出したときに、前記本装置の前記電源が予め設定された遮断時間以上遮断され、かつ前記振動確認部により前記振動の時間が予め設定された振動時間以上であることが確認されると、前記記録媒体に記録可能な容量が予め設定された残り容量であるか否かを検出し、
前記残容量報知部は、前記残容量検出部により検出された前記記録可能な容量が前記予め設定された残り容量以下であれば、当該記録可能な容量が予め設定された残り容量以下であることを警告する、
ことを特徴とする請求項１１記載の撮像装置。
【請求項１３】
電源として交換可能なバッテリーを備え、撮影動作を行ってその画像データを取得する撮像装置において、
本装置の前記電源が遮断されている状態に、当該本装置に対して接触があるか否かを検出する接触検出部と、
前記接触検出部により当該本装置に対する接触を検出すると、少なくとも前記画像データを記憶する記録媒体における前記画像データの記録可能な残り容量を検出する残容量検出部と、
前記残容量検出部により検出された前記記録可能な残り容量が予め設定された残り容量以下であれば、当該残り容量以下であることを報知する残容量報知部と、
を具備することを特徴とする撮像装置。
【請求項１４】
前記本装置は、前記撮影動作を行うときに少なくとも被写体の画像を表示する表示部を有し、
前記接触検出部は、前記表示部に対する接触を検出する、
ことを特徴とする請求項１３記載の撮像装置。
【請求項１５】
前記接触検出部は、前記表示部の表示画面上に設けられたタッチパネルを有することを特徴とする請求項１４記載の撮像装置。
【請求項１６】
前記本装置の前記電源が遮断してからの時間経過を計測するタイマーを備え、
前記残容量検出部は、前記タイマーにより計測された時間が予め設定された遮断時間以上になると、少なくとも前記画像データを記憶する記録媒体における前記画像データの記録可能な容量を検出し、
前記残容量報知部は、前記記録可能な容量が前記予め設定された残り容量以下であれば、少なくとも前記記録媒体における前記画像データの記録可能な残り容量を報知する、
ことを特徴とする請求項１３記載の撮像装置。
【請求項１７】
前記撮影動作を行うときに少なくとも被写体の画像を表示する表示部を有し、
前記残容量報知部は、前記接触検出部により当該本装置に対する接触を検出すると、前記記録可能な残り容量が予め設定された残り容量以下であることを強制的に警告し、前記接触検出部により当該本装置に対する接触を検出しなければ、前記記録可能な容量が前記予め設定された残り容量以下であることを前記表示部に表示する、
ことを特徴とする請求項１６記載の撮像装置。
【請求項１８】
前記残容量報知部は、鳴動を行う鳴動器又は発光を行う発光素子のうちいずれか一方又は両方を有し、前記記録可能な容量が前記予め設定された残り容量以下であることを前記鳴動器又は前記発光素子のうちいずれか一方又は両方により強制的に警告することを特徴とする請求項５、６、１２又は１７のうちいずれか１項記載の撮像装置。
【発明の詳細な説明】
【技術分野】
【０００１】
本発明は、記録媒体への画像データの記録可能な残り容量をユーザに知らせることが可能な撮像装置に関する。
【背景技術】
【０００２】
デジタルカメラ等の撮像装置では、被写体を撮影すると、この撮影により取得された画像データを記憶媒体に記憶する。従って、被写体を撮影するに際し、撮影により取得された画像データを記憶する記憶媒体の残り容量を知ることが大切である。記憶媒体への画像データの記録可能な残り容量が少なければ、被写体を撮影しようとしても、被写体の撮影が出来なくなってしまう。このような事から撮像装置では、電源をオンしたときに、記憶媒体の記録可能な残り容量が少なければ、警告を発することを行っている。
【先行技術文献】
【特許文献】
【０００３】
【特許文献１】特開２００２−３５９９３１号公報
【発明の概要】
【発明が解決しようとする課題】
【０００４】
しかしながら、実際に、ユーザが撮像装置を携帯して例えば旅行に出かけ、この旅行先で撮像装置により撮影を行う際、ユーザは、外出するに当たって、一々撮像装置の電源をオンして記憶媒体の記録可能な残り容量が少ないか否かを確認するには手間がかかり、面倒である。このため、旅行先で撮像装置の電源をオンしたときに始めて記憶媒体の記録可能な残り容量が少ないことに気が付くことが多い。
【０００５】
本発明の目的は、ユーザに手間や面倒を掛けずに、撮影に必要な記憶媒体の記録可能な残り容量を知らせることができる撮像装置を提供することにある。
【課題を解決するための手段】
【０００６】
本発明の主要な局面に係る第１の撮像装置は、撮影動作を行ってその画像データを取得する撮像装置において、少なくとも画像データを記憶する記録媒体と、本装置に対して様態の変化を検出する様態変化検出部と、様態変化検出部により本装置に対する様態の変化を検出すると、少なくとも記録媒体における画像データの記録可能な残り容量を検出する残容量検出部と、残容量検出部により検出された記録可能な残り容量が予め設定された残り容量以下であれば、当該残り容量以下であることを報知する残容量報知部とを具備する。
【０００７】
本発明の主要な局面に係る第２の撮像装置は、電源として交換可能なバッテリーを備え、撮影動作を行ってその画像データを取得する撮像装置において、バッテリーの交換を検出するバッテリー交換検出部と、バッテリー交換検出部によりバッテリーの交換を検出すると、少なくとも画像データを記憶する記録媒体における画像データの記録可能な残り容量を検出する残容量検出部と、残容量検出部により検出された記録可能な残り容量が予め設定された残り容量以下であれば、当該残り容量以下であることを報知する残容量報知部とを具備する。
【０００８】
本発明の主要な局面に係る第３の撮像装置は、上記第２の撮像装置において、残容量報知部により表示部に画像データの記録可能な残り容量を報知した後、本装置の電源を遮断する電源遮断部と、本装置の電源が遮断してからの時間経過を計測するタイマーとを具備し、残容量報知部は、タイマーの計測された電源の遮断している時間が予め設定された遮断時間以上になると、記録媒体における画像データの記録可能な残り容量を検出し、残容量報知部は、残容量検出部により検出された記録可能な残り容量が予め設定された残り容量以下であれば、当該残り容量以下であることを報知する。
【０００９】
本発明の主要な局面に係る第４の撮像装置は、電源として交換可能なバッテリーを備え、撮影動作を行ってその画像データを取得する撮像装置において、本装置の電源が遮断されている状態に、当該本装置に加えられる振動を検知する振動検知部と、振動検知部により振動が本装置に加えられことを検知すると、バッテリーの交換を検出するバッテリー交換検出部と、バッテリー交換検出部によりバッテリーの交換を検出すると、少なくとも画像データを記憶する記録媒体における画像データの記録可能な残り容量を検出する残容量検出部と、残容量検出部により検出された記録可能な残り容量が予め設定された残り容量以下であれば、当該残り容量以下であることを報知する残容量報知部とを具備する。
【００１０】
本発明の主要な局面に係る第５の撮像装置は、電源として交換可能なバッテリーを備え、撮影動作を行ってその画像データを取得する撮像装置において、本装置の電源が遮断されている状態に、当該本装置に対して接触があるか否かを検出する接触検出部と、接触検出部により当該本装置に対する接触を検出すると、少なくとも画像データを記憶する記録媒体における画像データの記録可能な残り容量を検出する残容量検出部と、残容量検出部により検出された記録可能な残り容量が予め設定された残り容量以下であれば、当該残り容量以下であることを報知する残容量報知部とを具備する。
【発明の効果】
【００１１】
本発明によれば、ユーザに手間や面倒を掛けずに、撮影に必要な記憶媒体の記録可能な残り容量を知らせることができる撮像装置を提供できる。
【図面の簡単な説明】
【００１２】
【図１】本発明に係る撮像装置の第１の実施の形態を示す構成図。
【図２】同装置におけるメディア容量確認判別部のブロック構成図。
【図３】同装置における記録メディアの残り容量の確認動作を示すフローチャート。
【図４】同装置におけるバッテリーの交換を示す図。
【図５】同装置における記録メディアの残り容量が予め設定された残り容量以下であることのＬＣＤパネルへの警告表示の一例を示す図。
【図６】本発明に係る撮像装置の第２の実施の形態を示す構成図。
【図７】同装置におけるメイン動作を示すフローチャート。
【図８】同装置における記録メディアの残り容量の確認動作を示すフローチャート。
【図９】本発明に係る撮像装置の第３の実施の形態を示す構成図。
【図１０】同装置をユーザが手に把持したときに振動が加えられている状態の一例を示す図。
【図１１】同装置における記録メディアの残り容量の確認動作を示すフローチャート。
【図１２】同装置におけるバッテリーの交換処理を示すフローチャート。
【図１３】本発明に係る撮像装置の第４の実施の形態を示す構成図。
【図１４】同装置におけるＬＣＤパネル上のタッチパネルに対する接触を示す図。
【図１５】同装置における記録メディアの残り容量の確認動作を示すフローチャート。
【図１６】同装置におけるスピーカからの音声による警告の発生を示す模式図。
【図１７】同装置におけるＬＥＤの発光による警告の発生を示す模式図。
【発明を実施するための形態】
【００１３】
［第１の実施の形態］
以下、本発明の第１の実施の形態について図面を参照して説明する。  
図１は撮像装置（以下、本装置１００と称する）の構成図を示す。レンズユニット１は、撮影レンズやフォーカスレンズを含み、被写体からの光をＣＣＤ等から成る撮像素子２に結像する。撮像素子２は、レンズユニット１により結像された被写体像を映像信号として出力する。ＡＦＥ３は、撮像素子２からの映像信号のゲインを調整し、このゲイン調整後の映像信号をアナログ−デジタル変換し、これによって後段の画像処理部４において画像記録しやすい画像データに処理する。
【００１４】
この画像処理部４は、画像データに対して各種の画像処理を行う。この画像処理部４には、ＡＦＥ３と、ＳＤＲＡＭ５と、フラッシュメモリ６と、ＬＣＤコントローラ７と、ＵＳＢ／ＨＤＭＩ インタフェース（ＩＦ）８と、記録媒体として記録メディア９とが接続されている。この記録メディア９には、例えば画像処理部４により画像処理された画像データが記憶される。なお、記録メディア９は、記録メディア接続端子１０を介して画像処理部４に接続されている。画像処理部４は、撮影時に取得された静止画の画像データを記録メディア９に記憶する。
【００１５】
ＬＣＤコントローラ７には、表示部としての液晶ディスプレイ（ＬＣＤ）１１が接続されている。ＬＣＤコントローラ７は、画像処理部４により画像処理された画像データを液晶ディスプレイ１１に表示するための表示データに変換して液晶ディスプレイ１１に送り、この液晶ディスプレイ１１に画像として表示する。例えば、ＬＣＤコントローラ７は、画像処理部４により処理されたスルー画像を液晶ディスプレイ１１に表示したり、記録メディア９に記録されている静止画の画像データを読み出して液晶ディスプレイ１１に表示する。
【００１６】
マイクロコンピュータ１２は、本装置１００の動作全体を制御するもので、画像処理部４と、モータドライバ１３と、オーディオ回路１４と、各種ボタン１５と、ストロボ１６と、振動検知部としての手振れ補正用加速度センサ１７と、電源回路１８とが接続されている。モータドライバ１３は、フォーカス調節時に、レンズモータ１９を駆動し、レンズユニット１におけるフォーカスレンズを移動させる。オーディオ回路１４は、スピーカ２０を駆動して各種内容の音声、例えば記録メディア９に記録可能な残り容量が予め設定された残り容量以下であることを警告報知するための音声等を鳴動する。
【００１７】
各種ボタン１５は、例えば電源スイッチ、各種モードの設定用のボタンや、レリーズボタン、バッテリー交換ボタン等を有する。  
ストロボ１６は、ストロボ設定時に閃光を発する。  
手振れ補正用加速度センサ１７は、本装置１００に加えられる振動を検出し、その振動検出信号を出力する。  
電源回路１８は、マイクロコンピュータ１２等の電力を供給する。この電源回路１８は、交換可能なバッテリー２１が備えられる。このバッテリー２１は、電源回路１８にバッテリー接続端子２２を介して接続される。又、電源回路１８には、ＡＣアダプタ接続端子２３を介してＡＣアダプタ２４が接続される。この電源回路１８は、本装置１００の様態変化を検出するものとしてバッテリー２１の交換を検出するバッテリー交換検出部２５を有する。このバッテリー交換検出部２５は、例えば、バッテリー２１が電源回路１８から切り離され、別のバッテリー２１が電源回路１８に接続されたときに、当該バッテリー２１の出力電圧の上昇を検出してバッテリー２１の交換を検出する。
【００１８】
マイクロコンピュータ１２は、カメラ自動起動部２６と、メディア容量確認判別部２７と、電源遮断部２８とを有する。カメラ自動起動部２６は、バッテリー交換検出部２５によりバッテリー２１の交換を検出すると、本装置１００を起動する。  
メディア容量確認判別部２７は、記録メディア９に対して画像データを記録可能とする残りの容量を確認し判別するもので、図２に示すように残容量検出部２９と、残容量報知部３０とを有する。  
残容量検出部２９は、バッテリー交換検出部２５によりバッテリー２１の交換を検出すると、記録メディア９における画像データの記録可能な残り容量を検出する。
【００１９】
残容量報知部３０は、残容量検出部２９により検出された記録メディア９における記録可能な残り容量が予め設定された残り容量以下であれば、当該残り容量以下であることを報知、例えばＬＣＤパネル１１に表示する。この残容量報知部３０は、記録メディア９における記録可能な残り容量が予め設定された容量以下であることを例えば鳴動器としてのスピーカ２０から警告の音声を発生して強制的に警告するようにしてもよい。なお、記録メディア９における記録可能な残り容量が予め設定された容量以下であること報知は、例えば発光ダイオード（ＬＥＤ）を発光させて行うようにしてもよい。  
電源遮断部２８は、ＬＣＤパネル１１に記録可能な残り容量が予め設定された残り容量以下であることを表示した後、本装置１００の電源回路１８を遮断する。
【００２０】
次に、上記の如く構成された装置における記録メディア９の残り容量の確認動作について図３に示すフローチャートを参照して説明する。  
図４に示すようにバッテリー２１の交換が行われる。このバッテリー２１の交換は、既に本装置１００に取り付けられていたものが本装置１００から取り出され、別の新しい電力容量の大きなバッテリー２１が本装置１００に取り付けられる。バッテリー２１が交換されると、バッテリー交換検出部２５は、ステップＳ１において、例えば別のバッテリー２１が電源回路１８に接続されたときに、当該バッテリー２１の出力電圧の上昇を検出してバッテリー２１の交換を検出する。
【００２１】
カメラ自動起動部２６は、ステップＳ２において、バッテリー交換検出部２５によりバッテリー２１の交換を検出すると、本装置１００を起動する。  
残容量検出部２９は、ステップＳ３において、バッテリー交換検出部２５によりバッテリー２１の交換を検出すると、記録メディア９における画像データの記録可能な残り容量を検出する。
【００２２】
残容量報知部３０は、ステップＳ４において、残容量検出部２９により検出された記録メディア９における記録可能な残り容量と予め設定された残り容量とを比較し、記録メディア９における記録可能な残り容量が予め設定された残り容量以下であるか否かを判断する。  
この判断の結果、記録メディア９における記録可能な残り容量が予め設定された残り容量以上であれば、電源遮断部２８は、ステップＳ５において、本装置１００の電源回路１８を遮断する。
【００２３】
一方、記録メディア９における記録可能な残り容量が予め設定された残り容量以下であれば、残容量報知部３０は、ステップＳ４からステップＳ６に移り、当該残り容量が予め設定された残り容量以下であることを警告表示、例えばＬＣＤパネル１１に警告表示する。図５は記録メディア９の残り容量が予め設定された残り容量以下であることをＬＣＤパネル１１に警告表示する一例を示す。ＬＣＤパネル１１には、例えば「記録メディア残量がありません」の警告が表示される。なお、残容量報知部３０は、記録メディア９における記録可能な残り容量が予め設定された容量以下であることを例えばスピーカ２０から警告の音声を発生して強制的に警告してもよい。
【００２４】
残容量報知部３０は、ステップＳ７において、例えば図５に示すような記録メディア９の残り容量が予め設定された残り容量以下であることの警告表示を所定期間、例えば１０秒間保持する。  
残容量報知部３０は、警告表示を所定期間、例えば１０秒間保持すると、ステップＳ８において、例えば図５に示すような記録メディア９の残り容量が予め設定された残り容量以下であることの警告表示をオフする。  
電源遮断部２８は、ステップＳ５において、本装置１００の電源回路１８を遮断する。
【００２５】
このように上記第１の実施の形態によれば、バッテリー交換検出部２５によりバッテリー２１の交換を検出すると、本装置１００を起動し、残容量検出部２９によって記録メディア９における画像データの記録可能な残り容量を検出し、残容量報知部３０によって記録メディア９における記録可能な残り容量が予め設定された残り容量以下であれば、当該残り容量以下であることを報知、例えばＬＣＤパネル１１に表示する。これにより、バッテリー２１を交換したときに、ユーザ等に手間や面倒を掛けずに、撮影に必要な記録メディア９の記録可能な残り容量を知らせることができる。特に、記録メディア９の残り容量が予め設定された残り容量以下であることの警告表示をＬＣＤパネル１１に表示できる。これにより、ユーザ等では、本装置１００を携帯して例えば旅行等に出かける前にバッテリー２１の残り容量をチェックすることが多いので、本装置１００を携帯して出かける前に、記録メディア９の残り容量が少ないことの警告表示ができる。従って、例えば本装置１００を長期間使用せずにバッテリー２１を交換したときに、ユーザは、記録メディア９の残り容量が予め設定された残り容量以下であることを知ることができ、それに対する対処ができる。
［第２の実施の形態］
次に、本発明の第２の実施の形態について図面を参照して説明する。  
図６は撮像装置の構成図を示す。なお、図１と同一部分には同一符号を付してその詳しい説明は省略する。  
マイクロコンピュータ１２は、上記同様に、本装置１００の動作全体を制御するもので、オフ時間タイマー４０を有する。又、マイクロコンピュータ１２には、発光素子としての発光ダイオード（ＬＥＤ）４１が接続されている。
【００２６】
オフ時間タイマー４０は、本装置１００の電源回路１８が遮断してからの時間経過を計測する。例えば、本装置１００は、上記第１の実施の形態で説明したように、残容量報知部３０によりＬＣＤパネル１１に記録メディア９における画像データの記録可能な残り容量を報知した後、本装置１００の電源回路１８を遮断するので、オフ時間タイマー４０は、かかる電源回路１８が遮断してからの時間経過を計測する。オフ時間タイマー４０は、電源回路１８が投入されると、時間経過の計測を停止する。
【００２７】
残容量検出部２９は、オフ時間タイマー４０により計測された電源回路１８の遮断している時間が予め設定された遮断時間以上、例えば１２時間以上になると、記録メディア９における画像データの記録可能な残り容量を検出する。  
残容量報知部３０は、残容量検出部２９により検出された記録可能な残り容量が予め設定された残り容量以下であれば、当該残り容量以下であることを報知、例えばＬＣＤパネル１１に表示する。
【００２８】
次に、上記の如く構成された装置のメイン動作について図７に示すフローチャートを参照して説明する。  
電源スイッチが投入されると、電源回路１８は、マイクロコンピュータ１２等の電力を供給する。オフ時間タイマー４０は、ステップＳ１０において、電源遮断の時間経過の計測を停止し、当該時間経過の計測値をクリアする。  
マイクロコンピュータ１２は、ステップＳ１１において、各種設定モード、例えば撮影モード又は再生モードのいずれかに設定されたのかを判断する。この判断の結果、撮影モードに設定されていると、マイクロコンピュータ１２は、ステップＳ１２に移り、例えば被写体の撮影動作、すなわちレリーズボタンが押し操作されると、マイクロコンピュータ１２は、レンズユニット１のフォーカスレンズを移動してピントの調整を行い、撮像素子２からレンズユニット１により結像された被写体像を映像信号として出力する。ＡＦＥ３は、撮像素子２からの映像信号のゲインを調整し、このゲイン調整後の映像信号をアナログ−デジタル変換し、画像処理部４において画像記録しやすい画像データに処理する。画像処理部４は、撮影時に取得された静止画の画像データを記録メディア９に記憶する。  
再生モードに設定されていると、マイクロコンピュータ１２は、ステップＳ１３に移り、例えば記録メディア９に記録されている静止画の画像データを読み出し、この画像データを液晶ディスプレイ１１に表示する。
【００２９】
マイクロコンピュータ１２は、ステップＳ１４において、再び、電源スイッチが操作されたか否かを判断する。この判断の結果、電源スイッチが操作されると、マイクロコンピュータ１２は、ステップＳ１５において、オフ時間タイマー４０をセットし、電源遮断の時間経過の計測を開始し、当該電源遮断の時間経過を計測する。  
この後、マイクロコンピュータ１２は、ステップＳ１５において、電源回路１８を遮断し、マイクロコンピュータ１２等への電力の供給を停止する。
【００３０】
次に、上記の如く構成された装置における記録メディア９の残り容量の確認動作について図８に示すフローチャートを参照して説明する。なお、図３と同一部分には同一符号を付してその詳しい説明は省略する。  
上記図４に示すように、バッテリー２１の交換が行われる。バッテリー２１が交換されると、バッテリー交換検出部２５は、ステップＳ１において、例えば別のバッテリー２１が電源回路１８に接続されたときに、当該バッテリー２１の出力電圧の上昇を検出してバッテリー２１の交換を検出する。
【００３１】
カメラ自動起動部２６は、ステップＳ２において、バッテリー交換検出部２５によりバッテリー２１の交換を検出すると、本装置１００を起動する。  
オフ時間タイマー４０は、本装置１００を起動と共に、ステップＳ２０において、電源遮断の時間経過の計測を停止し、当該電源遮断の時間経過の計測値を保持する。  
残容量検出部２９は、ステップＳ２１において、オフ時間タイマー４０により計測された電源回路１８の遮断している時間が予め設定された遮断時間以上、例えば１２時間以上であるか否かを判断する。この判断の結果、電源回路１８の遮断している時間が予め設定された遮断時間以上であれば、残容量検出部２９は、ステップＳ３に移り、記録メディア９における画像データの記録可能な残り容量を検出する。
【００３２】
残容量報知部３０は、ステップＳ４において、残容量検出部２９により検出された記録メディア９における記録可能な残り容量と予め設定された残り容量とを比較し、記録メディア９における記録可能な残り容量が予め設定された残り容量以下であるか否かを判断する。  
この判断の結果、記録メディア９における記録可能な残り容量が予め設定された残り容量以上であれば、電源遮断部２８は、ステップＳ５において、本装置１００の電源回路１８を遮断する。
【００３３】
一方、記録メディア９における記録可能な残り容量が予め設定された残り容量以下であれば、残容量報知部３０は、ステップＳ４からステップＳ６に移り、当該残り容量が予め設定された残り容量以下であることを警告表示、例えば図５に示すようにＬＣＤパネル１１に警告表示する。
【００３４】
残容量報知部３０は、ステップＳ７において、例えば図５に示すような記録メディア９の残り容量が予め設定された残り容量以下であることの警告表示を所定期間、例えば１０秒間保持する。  
残容量報知部３０は、警告表示を所定期間、例えば１０秒間保持すると、ステップＳ８において、例えば上記図５に示すような記録メディア９の残り容量が予め設定された残り容量以下であることの警告表示をオフする。  
電源遮断部２８は、ステップＳ５において、本装置１００の電源回路１８を遮断する。
【００３５】
このように上記第２の実施の形態によれば、オフ時間タイマー４０により電源回路１８を遮断してからの時間経過を計測し、この計測された電源回路１８の遮断している時間が予め設定された遮断時間以上、例えば１２時間以上経過してバッテリー２１の交換が行われると、記録メディア９における画像データの記録可能な残り容量を検出し、この検出された記録可能な残り容量が予め設定された残り容量以下であれば、当該残り容量以下であることを報知、例えばＬＣＤパネル１１に表示する。これにより、電源をオフとしてから例えば１２時間以上経過してバッテリー２１の交換が行われた場合に、ユーザに手間や面倒を掛けずに、記録メディア９の残り容量が予め設定された残り容量以下であることの警告表示をＬＣＤパネル１１に表示できる。従って、例えば本装置１００を長期間使用せずにバッテリー２１を交換したときに、例えば本装置１００を携帯して例えば旅行等に出かける前にバッテリー２１の残り容量をチェックすることが多いので、本装置１００を携帯して出かける前に、記録メディア９の残り容量が少ないことの警告表示ができ、記録メディア９の残り容量が少ないことに対する対処できる。
［第３の実施の形態］
次に、本発明の第３の実施の形態について図面を参照して説明する。  
図９は撮像装置の構成図を示す。なお、図６と同一部分には同一符号を付してその詳しい説明は省略する。  
マイクロコンピュータ１２は、上記同様に、本装置１００の動作全体を制御するもので、振動タイマー５０と、加速度センサ振動時間周期確認部（以下、振動確認部と称する）５１とを有する。  
振動タイマー５０は、手振れ補正用加速度センサ１７により検出された振動が継続している時間を計測する。
【００３６】
振動確認部５１は、振動タイマー５０により計測された振動の継続時間が予め設定された振動時間以上であるか否かを判断すると共に、振動タイマー５０により計測された振動に周期性が有るか否かを判断する。すなわち、振動の継続時間が予め設定された振動時間以上で、当該振動に周期性がなければ、例えば図１０に示すようにユーザが本装置１００を手に把持したときに本装置１００に振動が加えられている状態であることが判断される。この判断の結果、例えば地震等の発生により振動が本装置１００に加えられると、当該振動は周期性を有するので、振動確認部５１は、地震等の発生により本装置１００に加えられる振動を除くことが可能である。
【００３７】
残容量検出部２９は、バッテリー交換検出部２５によりバッテリー２１の交換を検出したときに、本装置１００の電源回路１８が予め設定された遮断時間以上遮断され、かつ振動確認部５１により振動の時間が予め設定された振動時間以上であることが確認されると、記録メディア９に記録可能な容量が予め設定された残り容量であるか否かを検出する。  
残容量報知部３０は、残容量検出部２９により検出された記録可能な容量が予め設定された残り容量以下であれば、当該記録可能な容量が予め設定された残り容量以下であることを警告表示する。
【００３８】
次に、上記の如く構成された装置における記録メディア９の残り容量の確認動作について図１１に示すフローチャートを参照して説明する。なお、図７と同一部分には同一符号を付してその詳しい説明は省略する。  
電源スイッチが投入されると、電源回路１８は、マイクロコンピュータ１２等の電力を供給する。オフ時間タイマー４０は、ステップＳ１０において、電源遮断の時間経過の計測を停止し、当該時間経過の計測値をクリアする。  
マイクロコンピュータ１２は、ステップＳ１１において、各種設定モード、例えば撮影モード又は再生モードのいずれかに設定されたのかを判断し、撮影モードに設定されていると、ステップＳ１２に移って例えば被写体の撮影動作を行い、再生モードに設定されていると、ステップＳ１３に移って例えば記録メディア９に記録されている静止画の画像データを読み出し、この画像データを液晶ディスプレイ１１に表示する。
【００３９】
マイクロコンピュータ１２は、ステップＳ１４において、再び、電源スイッチが操作されると、ステップＳ１５において、オフ時間タイマー４０をセットし、電源遮断の時間経過の計測を開始し、当該電源遮断の時間経過を計測する。  
マイクロコンピュータ１２は、ステップＳ３０において、手振れ補正用加速度センサ１７により本装置１００に加えられる振動を検出したか否かを判断する。すなわち、手振れ補正用加速度センサ１７は、本装置１００に加えられる振動を検出し、その振動検出信号を出力する。マイクロコンピュータ１２は、手振れ補正用加速度センサ１７からの振動検出信号を入力したときに本装置１００に振動が加えられたことを判断する。
【００４０】
本装置１００に振動が加えられたことが判断されると、カメラ自動起動部２６は、ステップＳ３１において、バッテリー交換検出部２５によりバッテリー２１の交換を検出すると、本装置１００を起動する。  
振動タイマー５０は、ステップＳ３２において、手振れ補正用加速度センサ１７により検出された振動が継続している時間を計測する。振動が継続している時間の計測値は、例えばαとする。
【００４１】
振動確認部５１は、ステップＳ３３において、振動タイマー５０により計測された振動の継続時間が予め設定された振動時間、例えば１秒以上であるか否かを判断する。この判断の結果、計測された振動の継続時間が予め設定された振動時間、例えば１秒以内であれば、電源遮断部２８は、ステップＳ５に移り、本装置１００の電源回路１８を遮断する。  
計測された振動の継続時間が予め設定された振動時間、例えば１秒以上であれば、振動確認部５１は、ステップＳ３４に移り、振動タイマー５０により計測された振動に周期性が有るか否かを判断する。この判断の結果、振動に周期性が有れば、電源遮断部２８は、ステップＳ５に移り、本装置１００の電源回路１８を遮断する。これにより、地震等の発生により本装置１００に加えられる周期性を有する振動を除くことが可能である。
【００４２】
振動に周期性が無ければ、振動タイマー５０は、ステップＳ３５において、手振れ補正用加速度センサ１７により検出された振動が継続している時間の計測を続け、振動が無くなったところで振動が継続している時間の計測値を停止する。このときの振動が継続している時間の計測値αは、マイクロコンピュータ１２により読み取られ、振動タイマー５０の計測値αはクリアされる。
【００４３】
マイクロコンピュータ１２は、ステップＳ３６において、電源スイッチが投入されているか否かを判断する。この判断の結果、電源スイッチが投入されると、カメラ自動起動部２６は、本装置１００を起動する。  
電源スイッチが投入されなければ、マイクロコンピュータ１２は、ステップＳ３７において、バッテリー２１の交換を行うか否かを判断する。バッテリー２１の交換を行うか否かの判断は、例えば各種ボタン１５中のバッテリー交換ボタンが操作されるか否かにより行われる。バッテリー交換ボタンが操作されると、マイクロコンピュータ１２は、ステップＳ３８に移り、バッテリー２１の交換処理を行う。
【００４４】
図１２はバッテリー２１の交換処理のフローチャートを示す。  
上記図４に示すように、バッテリー２１の交換が行われる。バッテリー２１が交換されると、バッテリー交換検出部２５は、ステップＳ５０において、例えば別のバッテリー２１が電源回路１８に接続されたときに、当該バッテリー２１の出力電圧の上昇を検出してバッテリー２１の交換を検出する。
【００４５】
オフ時間タイマー４０は、ステップＳ５１において、本装置１００の電源回路１８が遮断してからの時間経過を計測する。  
残容量検出部２９は、ステップＳ５２において、オフ時間タイマー４０により計測された電源回路１８の遮断している時間が予め設定された遮断時間以上、例えば１２時間以上であるか否かを判断する。
【００４６】
この判断の結果、電源回路１８の遮断している時間が予め設定された遮断時間以上、例えば１２時間以上であれば、振動確認部５１は、振動タイマー５０により計測される振動が継続している時間の計測値αが予め設定された振動時間、例えば８秒以上であるか否かを判断する。
【００４７】
この判断の結果、振動が継続している時間の計測値αが予め設定された振動時間、例えば８秒以上であれば、残容量報知部３０は、ステップＳ４において、残容量検出部２９により検出された記録メディア９における記録可能な残り容量と予め設定された残り容量とを比較し、記録メディア９における記録可能な残り容量が予め設定された残り容量以下であるか否かを判断する。  
この判断の結果、記録メディア９における記録可能な残り容量が予め設定された残り容量以上であれば、マイクロコンピュータ１２は、ステップＳ１０に戻る。
【００４８】
一方、記録メディア９における記録可能な残り容量が予め設定された残り容量以下であれば、残容量報知部３０は、ステップＳ４からステップＳ６に移り、当該残り容量が予め設定された残り容量以下であることを警告表示、例えば上記図５に示すようにＬＣＤパネル１１に警告表示する。
【００４９】
残容量報知部３０は、ステップＳ７において、例えば図５に示すような記録メディア９の残り容量が予め設定された残り容量以下であることの警告表示を所定期間、例えば１０秒間保持する。  
残容量報知部３０は、警告表示を所定期間、例えば１０秒間保持すると、ステップＳ８において、例えば上記図５に示すような記録メディア９の残り容量が予め設定された残り容量以下であることの警告表示をオフする。
【００５０】
バッテリー２１の交換処理が終了すると、マイクロコンピュータ１２は、ステップＳ３９において、振動タイマー５０により振動が計測されていない時間すなわち振動停止時間が予め設定された振動停止時間、例えば５秒以上あるか否かを判断する。この判断の結果、振動停止時間が予め設定された振動停止時間、例えば５秒以上なければ、マイクロコンピュータ１２は、ステップＳ３６に戻る。  
振動停止時間が予め設定された振動停止時間、例えば５秒以上あれば、マイクロコンピュータ１２は、ステップＳ４０に移り、振動タイマー５０をセットする。  
電源遮断部２８は、ステップＳ５において、本装置１００の電源回路１８を遮断する。
【００５１】
このように上記第３の実施の形態によれば、振動タイマー５０により計測された振動の継続時間が予め設定された振動時間以上であるか否かを判断し、かつ振動タイマー５０により計測された振動に周期性が有るか否かを判断し、バッテリー２１の交換を検出したときに、本装置１００の電源回路１８が予め設定された遮断時間以上遮断され、かつ振動の時間が予め設定された振動時間以上であることが確認されると、記録メディア９に記録可能な容量が予め設定された残り容量であるか否かを検出し、この検出された記録可能な容量が予め設定された残り容量以下であれば、当該記録可能な容量が予め設定された残り容量以下であることを警告表示する。
【００５２】
特に、バッテリー２１の交換処理では、電源回路１８の遮断している時間が予め設定された遮断時間以上、例えば１２時間以上で、かつ振動が継続している時間の計測値αが予め設定された振動時間、例えば８秒以上であれば、記録メディア９における記録可能な残り容量と予め設定された残り容量とを比較し、記録メディア９における記録可能な残り容量が予め設定された残り容量以下であれば、当該残り容量が予め設定された残り容量以下であることを警告表示、例えば上記図５に示すようにＬＣＤパネル１１に警告表示する。
【００５３】
これにより、オフ時間タイマー４０により計測された電源回路１８の遮断している時間が予め設定された遮断時間以上、例えば１２時間以上あって本装置１００の電源スイッチが投入されず、かかる１２時間以上の長時間に亘って保管されて同一の姿勢で動かされないという保管されている状態から、ユーザによって本装置１００が保管場所から把持されて急激に姿勢が変わった場合に、当該残り容量が予め設定された残り容量以下であることを例えば上記図５に示すようにＬＣＤパネル１１に警告表示できる。従って、例えば１２時間以上の長期間に亘って本装置１００により撮影等を全く行わない状態で、記録メディア９の記録可能な残り容量が分らないような状況になっても、残り容量が予め設定された残り容量以下であることをＬＣＤパネル１１に警告表示できる。  
従って、例えば本装置１００を長期間使用せずにバッテリー２１を交換したときに、ユーザは、記録メディア９の残り容量が予め設定された残り容量以下であることを知ることができ、それに対する対処ができる。
［第４の実施の形態］
次に、本発明の第４の実施の形態について図面を参照して説明する。  
図１３は撮像装置の構成図を示す。なお、図６と同一部分には同一符号を付してその詳しい説明は省略する。  
ＬＣＤパネル１１の表示画面上には、接触検出部としてのタッチパネル６０が設けられている。このタッチパネル６０は、本装置１００の電源が遮断されている状態に、当該タッチパネル６０に対して例えばユーザの指等によって接触があるとタッチ信号を出力する。このタッチパネル６０は、ＬＣＤパネル１１と別体に構成されていてもよいし、ＬＣＤパネル１１と一体的に構成されていてもよい。なお、本装置１００に対する接触を検出するのは、ＬＣＤパネル１１に設けたタッチパネル６０に限らず、例えば本装置１００の外装ケース上の所要の箇所にタッチセンサ等を設けて本装置１００に対する接触を検出してもよい。
【００５４】
マイクロコンピュータ１２は、上記同様に、本装置１００の動作全体を制御するもので、タッチパネル接触検知部６１を有する。このタッチパネル接触検知部６１は、タッチパネル６０から出力されるタッチ信号を受け取ると、例えばＬＣＤパネル１１に対して例えばユーザの指等によって接触があることを検知する。
【００５５】
残容量検出部２９は、タッチパネル接触検知部６１によりタッチパネル６０に対する接触を検出すると、記録メディア９における画像データの記録可能な残り容量を検出する。この場合、残容量検出部２９は、オフ時間タイマー４０により計測された時間が予め設定された遮断時間、例えば１２時間以上になると、記録メディア９における画像データの記録可能な残り容量を検出する。
【００５６】
残容量報知部３０は、残容量検出部２９により検出された記録メディア９における記録可能な残り容量が予め設定された残り容量以下であれば、当該残り容量以下であることを報知、例えばＬＣＤパネル１１に表示する。この残容量報知部３０は、記録メディア９における記録可能な残り容量が予め設定された容量以下であることを例えば鳴動器としてのスピーカ２０から警告の音声を発生したり、又は発光素子として例えばＬＥＤ４１を発光させて強制的に警告する。スピーカ２０からの警告とストロボ１６からの発光との両方を同時に行ってもよい。  
次に、上記の如く構成された装置における記録メディア９の残り容量の確認動作について図１５に示すフローチャートを参照して説明する。なお、図８と同一部分には同一符号を付してその詳しい説明は省略する。  
上記図４に示すように、バッテリー２１の交換が行われる。バッテリー２１が交換されると、バッテリー交換検出部２５は、ステップＳ１において、例えば別のバッテリー２１が電源回路１８に接続されたときに、当該バッテリー２１の出力電圧の上昇を検出してバッテリー２１の交換を検出する。
【００５７】
カメラ自動起動部２６は、ステップＳ２において、バッテリー交換検出部２５によりバッテリー２１の交換を検出すると、本装置１００を起動する。  
オフ時間タイマー４０は、本装置１００を起動と共に、ステップＳ２０において、電源遮断の時間経過の計測を停止し、当該電源遮断の時間経過の計測値を保持する。  
残容量検出部２９は、ステップＳ２１において、オフ時間タイマー４０により計測された電源回路１８の遮断している時間が予め設定された遮断時間以上、例えば１２時間以上であるか否かを判断する。この判断の結果、電源回路１８の遮断している時間が予め設定された遮断時間以上であれば、残容量検出部２９は、ステップＳ３に移り、記録メディア９における画像データの記録可能な残り容量を検出する。
【００５８】
残容量検出部２９は、ステップＳ４において、残容量検出部２９により検出された記録メディア９における記録可能な残り容量と予め設定された残り容量、例えば１００枚の画像データに対応する残り容量とを比較し、記録メディア９における記録可能な残り容量が予め設定された残り容量以下であるか否かを判断する。  
この判断の結果、記録メディア９における記録可能な残り容量が予め設定された残り容量以上であれば、電源遮断部２８は、ステップＳ５において、本装置１００の電源回路１８を遮断する。
【００５９】
一方、記録メディア９における記録可能な残り容量が予め設定された残り容量以下であれば、タッチパネル接触検知部６１は、ステップＳ４からステップＳ６０に移り、タッチパネル６０に対して例えばユーザの指等によって接触があるか否かを判断する。この判断の結果、タッチパネル６０に対して例えばユーザの指等によって接触があり、タッチパネル６０からタッチ信号が出力されると、タッチパネル接触検知部６１は、例えばＬＣＤパネル１１に対して例えばユーザの指等によって接触があることを検知する。
【００６０】
例えばユーザの指等によってタッチパネル６０に接触があることを検知すると、残容量報知部３０は、ステップＳ６１において、記録メディア９における記録可能な残り容量が予め設定された容量以下であることを例えば鳴動器としてのスピーカ２０から警告の音声を発生し、かつＬＥＤ４１を発光して強制的に警告する。図１６はスピーカ２０からの音声による警告の発生を模式的に示し、図１７はＬＥＤ４１の発光による警告の発生を模式的に示す。  
残容量報知部３０は、ステップＳ６２において、スピーカ２０からの音声による警告と、ＬＥＤ４１を発光しての警告とを行っている期間が所定の警告時間、例えば１０秒経過したか否かを判断する。この判断の結果、所定の警告時間、例えば１０秒経過していなければ、残容量報知部３０は、スピーカ２０からの音声による警告と、ＬＥＤ４１を発光しての警告とを継続して行う。
【００６１】
一方、例えばユーザの指等によってタッチパネル６０に接触がなければ、残容量報知部３０は、ステップＳ６３において、記録メディア９における記録可能な残り容量が予め設定された容量以下であることを例えば上記図５に示すようにＬＣＤパネル１１に「記録メディア残量がありません」の警告を表示する。  
電源遮断部２８は、ステップＳ５において、本装置１００の電源回路１８を遮断する。
【００６２】
このように上記第４の実施の形態によれば、ＬＣＤパネル１１の表示画面上にタッチパネル６０を設け、オフ時間タイマー４０により計測された時間が予め設定された遮断時間、例えば１２時間以上になっときに、タッチパネル６０に対して例えばユーザの指等が接触すると、記録メディア９における画像データの記録可能な残り容量を検出し、この記録可能な残り容量が予め設定された残り容量以下であれば、当該残り容量以下であることを報知、例えば鳴動器としてのスピーカ２０から警告の音声を発生したり、又は発光素子として例えばＬＥＤ４１を発光させて強制的に警告する。これにより、ユーザに手間や面倒を掛けずに、撮影に必要な記録メディア９の記録可能な残り容量、例えば記録メディア９の残り容量が予め設定された残り容量以下であることの警告表示をＬＣＤパネル１１に表示できる。
【００６３】
特に、本装置１００を例えば１２時間以上の長期間使用しなかった後に、ユーザ等によってタッチパネル６０に接触すると、記録メディア９の残り容量が予め設定された残り容量以下であることの警告表示によって記録メディア９の残り容量が予め設定された残り容量以下であることに対処できる。すなわち、長期間使用せずに保管状態にある本装置１００をその保管場所から取り出すときには、ユーザ等は、本装置１００を手に把持して保管場所から取り出すことになるので、このとき必然的にユーザ等の指は、ＬＣＤパネル１１の表示画面上のタッチパネル６０に接触することになる。従って、本装置１００をその保管場所から取り出したときに、記録メディア９の残り容量が予め設定された残り容量以下であることの警告表示によって記録メディア９の残り容量が予め設定された残り容量以下であることに対処できる。  
又、記録メディア９への記録可能な残り容量が予め設定された残り容量以下であることは、例えばスピーカ２０からの音声による警告、又はＬＥＤ４１の発光により強制的に警告できる。
【符号の説明】
【００６４】
１：レンズユニット、２：撮像素子、３：ＡＦＥ、４：画像処理部、５：ＳＤＲＡＭ、６：フラッシュメモリ、７：ＬＣＤコントローラ、８：ＵＳＢ／ＨＤＭＩ インタフェース（ＩＦ）、９：記録メディア、１０：記録メディア接続端子、１１：液晶ディスプレイ（ＬＣＤ）、１２：マイクロコンピュータ、１３：モータドライバ、１４：オーディオ回路、１５：各種ボタン、１６：ストロボ、１７：手振れ補正用加速度センサ、１８：電源回路、１９：レンズモータ、２０：スピーカ、２１：バッテリー、２２：バッテリー接続端子、２３：ＡＣアダプタ接続端子、２４：ＡＣアダプタ、２５：バッテリー交換検出部、２６：カメラ自動起動部、２７：メディア容量確認判別部、２８：電源遮断部、２９：残容量検出部、３０：残容量報知部、４０：オフ時間タイマー、４１：発光ダイオード（ＬＥＤ）、５０：振動タイマー、５１：加速度センサ振動時間周期確認部（振動確認部）、６０：タッチパネル、６１：タッチパネル接触検知部、１００：本装置。
【図１】
2012124751.tif 000003
【図２】
2012124751.tif 000004
【図３】
2012124751.tif 000005
【図４】
2012124751.tif 000006
【図５】
2012124751.tif 000007
【図６】
2012124751.tif 000008
【図７】
2012124751.tif 000009
【図８】
2012124751.tif 000010
【図９】
2012124751.tif 000011
【図１０】
2012124751.tif 000012
【図１１】
2012124751.tif 000013
【図１２】
2012124751.tif 000014
【図１３】
2012124751.tif 000015
【図１４】
2012124751.tif 000016
【図１５】
2012124751.tif 000017
【図１６】
2012124751.tif 000018
【図１７】
2012124751.tif 000019